(57)【要約】【課題】  抽選会の開催に対して注目度合いを低下させること無く抽選会を開催することができるクジ発券制御方法を提供する。【解決手段】  クジの発券タイミングに関する発券情報をクジ種毎に予め登録したテーブルＴを生成するテーブル生成工程と、このテーブル生成工程により生成されたテーブルＴに登録されている発券情報に従ってサーバコンピュータで印字データを生成する印字データ生成工程と、この印字データ生成工程により生成された印字データをサーバコンピュータからクジ発券機に出力する印字データ出力工程と、印字データ出力工程により出力された印字データをクジ発券機で受信し、当該印字データに基づくクジを印字発行するクジ印字発行工程と、を具備する。【選択図】    図１１
2005122511.tif 000002
【特許請求の範囲】
【請求項１】
クジを発券するクジ発券機と、このクジ発券機に接続されるサーバコンピュータとを用いたクジ発券制御方法において、
前記クジの発券タイミングに関する発券情報をクジ種毎に予め登録したテーブルを生成するテーブル生成工程と、
このテーブル生成工程により生成された前記テーブルに登録されている発券情報に従って前記サーバコンピュータで印字データを生成する印字データ生成工程と、
この印字データ生成工程により生成された前記印字データを前記サーバコンピュータから前記クジ発券機に出力する印字データ出力工程と、
前記印字データ出力工程により出力された前記印字データを前記クジ発券機で受信し、当該印字データに基づく前記クジを印字発行するクジ印字発行工程と、
を具備することを特徴とするクジ発券制御方法。
【請求項２】
少なくとも２台以上の前記クジ発券機が前記サーバコンピュータに対して通信ネットワークを通じて接続されており、
前記テーブルは、前記サーバコンピュータで一元管理されている、
ことを特徴とする請求項１記載のクジ発券制御方法。
【請求項３】
前記テーブル生成工程により生成される前記テーブルに登録されている発券情報には前記クジの発券時間が含まれており、
前記印字データ生成工程は前記発券時間に従って前記印字データを生成する、
ことを特徴とする請求項１または２記載のクジ発券制御方法。
【請求項４】
前記テーブル生成工程により生成される前記テーブルに登録されている発券情報には前記クジの発券場所が含まれており、
前記印字データ出力工程は前記発券場所に設置された前記クジ発券機に対して前記印字データを出力する、
ことを特徴とする請求項２または３記載のクジ発券制御方法。
【請求項５】
前記テーブルに一元管理されている前記発券場所を、来店客数に応じて設定可能とする、
ことを特徴とする請求項４記載のクジ発券制御方法。
【請求項６】
前記テーブルに一元管理されている前記発券場所を、売上金額に応じて設定可能とする、
ことを特徴とする請求項４記載のクジ発券制御方法。
【請求項７】
前記テーブル生成工程により生成される前記テーブルに登録されている発券情報には前記クジの発券順序が含まれており、
前記印字データ生成工程は前記発券順序に従って前記印字データを生成する、
ことを特徴とする請求項１記載のクジ発券制御方法。
【請求項８】
前順序の前記クジの引き換えがあったことが認識された場合に、次の順序の前記クジについての発券時間が設定される、
ことを特徴とする請求項７記載のクジ発券制御方法。
【請求項９】
前順序の前記クジの引き換えは、引き換えの際に前記クジに付された識別コードを読み取って前記テーブルを検索することにより認識される、
ことを特徴とする請求項８記載のクジ発券制御方法。
【請求項１０】
前記クジは、スクラッチカードである、
ことを特徴とする請求項１ないし９のいずれか一記載のクジ発券制御方法。
【請求項１１】
少なくとも２台以上のクジ発券機に通信ネットワークを通じて接続されるクジ発券制御装置において、
前記クジの発券タイミングに関する発券情報をクジ種毎に予め登録されていて、一元管理されているテーブルと、
このテーブルに登録されている発券情報に従って印字データを生成する印字データ生成手段と、
この印字データ生成手段により生成された前記印字データを前記クジ発券機に出力する印字データ出力手段と、
を具備することを特徴とするクジ発券制御装置。
【発明の詳細な説明】
【技術分野】
【０００１】
本発明は、クジ発券制御方法及びクジ発券制御装置に関する。
【背景技術】
【０００２】
クジを用いた抽選により当選者を決定する、いわゆる「クジ引き」といわれる抽選方法が従来から広く行われている。このような「クジ引き」用のクジは、予め当選品名などを用紙に印字した後、印字した用紙を折り曲げるなどして、当選品名などの印字を見えなくする工夫がなされていることが多い。
【０００３】
また、近年、このような「クジ引き」用のクジには、スクラッチカードが多く用いられるようになっている。このようなスクラッチカードは、カードに印字された文字や絵などが隠蔽物により隠蔽されており、爪やコイン等で隠蔽物を削り落とすことにより隠蔽された文字や絵が視認可能になるものであり、美観に優れ、安価である。
【０００４】
このような「クジ引き」などに用いられるスクラッチカードを印刷する方法は、印刷機による印刷方式によって行うのが主流である。この印刷方式では、予めカードに印刷を行うための文字や絵などに対応する版を用意し、この版を使用して大量のカードに印刷を行う。そして、隠蔽用の熱転写シートをセットした印刷機で、カードに印刷された文字や絵などを隠蔽するための印刷を行いスクラッチカードを大量に作成する（例えば、特許文献１参照）。
【０００５】
また、一般に知られているサーマルプリンタを使用してスクラッチカードの印刷を行う印刷方式も考えられている。この印刷方式の場合は、例えば、先ず、サーマルヘッドでインクリボン又は下地感熱紙を加熱してカードに文字や絵などを印刷する。次に、サーマルヘッドを隠蔽用の熱転写リボンを印刷する条件に設定した後、文字や絵などを隠蔽する印刷を行う。
【０００６】
【特許文献１】特開２００１−１１３８８９公報
【発明の開示】
【発明が解決しようとする課題】
【０００７】
しかしながら、従来のようなスクラッチカードを印刷する方法によれば、抽選会の前に全てのクジ（スクラッチカード）を作成しなければならず、当選品名などの印字を見えなくする工夫がなされていることから、各種の課題が存在する。
【０００８】
第一には、抽選会において無作為に抽出される当選品に対して時間的制御ができないという点である。
【０００９】
第二には、抽選場所が複数ある場合に、所定の当選品についての会場の選択ができないという点である。
【００１０】
第三には、目玉商品等が早期に当選してしまうと、抽選会の注目度が低下するという点である。
【００１１】
本発明は、抽選会の開催に対して注目度合いを低下させること無く抽選会を開催することができるクジ発券制御方法及びクジ発券制御装置を提供することを目的とする。
【００１２】
本発明は、売上金額・総客数の多い抽選場所に当選クジを割り振ることにより、参加者の抽選会参加の動機付けを行うことができるクジ発券制御方法及びクジ発券制御装置を提供することを目的とする。
【課題を解決するための手段】
【００１３】
本発明のクジ発券制御方法は、クジを発券するクジ発券機と、このクジ発券機に接続されるサーバコンピュータとを用いたクジ発券制御方法において、前記クジの発券タイミングに関する発券情報をクジ種毎に予め登録したテーブルを生成するテーブル生成工程と、このテーブル生成工程により生成された前記テーブルに登録されている発券情報に従って前記サーバコンピュータで印字データを生成する印字データ生成工程と、この印字データ生成工程により生成された前記印字データを前記サーバコンピュータから前記クジ発券機に出力する印字データ出力工程と、前記印字データ出力工程により出力された前記印字データを前記クジ発券機で受信し、当該印字データに基づく前記クジを印字発行するクジ印字発行工程と、を具備する。
【発明の効果】
【００１４】
本発明によれば、クジを発券する場合に、発券時刻・発券順序・発券場所などの発券タイミングに関する発券情報に基づいて関係付けを行うことができるので、抽選会の開催に対して注目度合いを低下すること無く抽選会を開催することができるという効果がある。同時に、参加者の注目を引くために、売上金額・総客数の多い抽選場所に当選クジを割り振ることにより、参加者の抽選会参加の動機付けを行うことができる。
【発明を実施するための最良の形態】
【００１５】
本発明の実施の一形態を図１ないし図２２に基づいて説明する。本実施の形態は、複数の抽選場所が遠隔地に離れて存在するような場合に、各抽選場所に設置されたクジ発券機でのクジの発券を制御するクジ発券制御方法に関するものである。
【００１６】
[１．クジ発券システム１００の構成]
ここで、図１は本実施の形態のクジ発券システム１００の全体構成を概略的に示すシステム構成図である。図１に示すように、クジ発券システム１００には、各クジ発券場所（抽選場所）に設置されるＰＣ（Personal Computer）であるクライアント端末１０１が備えられている。このようなクライアント端末１０１は、図示しないモデム、ＴＡ（ターミナルアダプタ）、ルータを介して通信ネットワークであるインターネット１０２に接続されている。このようなクライアント端末１０１には、ＲＳ２３２Ｃを介してスクラッチカードプリンタ１０３が接続されている。このスクラッチカードプリンタ１０３は、クジ発券機であって、「クジ引き」用のクジであるスクラッチカードＳＣ（図９参照）を印字発行するものである。なお、クライアント端末１０１とスクラッチカードプリンタ１０３の接続は、ＲＳ２３２Ｃに限らず、セントロニクスやＬＡＮ、無線等で可能である。
【００１７】
また、クジ発券システム１００には、本部のサーバコンピュータ（以下、本部サーバという）１０４が備えられている。この本部サーバ１０４は、Ｗｅｂサーバとして機能するものであって、図示しないルータを介してインターネット１０２に接続されている。この本部サーバ１０４は、スクラッチカードプリンタ１０３に接続され、スクラッチカードプリンタ１０３にクジであるスクラッチカードＳＣを印字発行させるクジ発券制御装置である。
【００１８】
[１−１．スクラッチカードプリンタ１０３についての説明]
まず、スクラッチカードプリンタ１０３について説明する。図２はスクラッチカードプリンタ１０３を示す外観斜視図であり、図３はスクラッチカードプリンタ１０３の構成を概略的に示す縦断側面図である。図２に示すように、スクラッチカードプリンタ１０３は、プリンタ本体２とこのプリンタ本体２に着脱自在に取り付けられた給紙装置３とから構成されている。給紙装置３には、カードＣ（図４参照）が保持される。この実施の形態では、給紙装置３に保持されるカードＣは印字するコストを安価なものとするために、カード基材として下地感熱紙を用いている。カードＣの一例を図４に示す。図４（ａ）はカードＣの印字面を示し、図４（ｂ）はカードＣのｘ−ｘ断面を示している。図４（ｂ）に示すように、カードＣは、感熱紙基材Ｃａ上に感熱紙発色層Ｃｂが設けられたものであり、感熱紙発色層Ｃｂに所定温度の熱が与えられるとその部分が発色するようになっている。このカードＣには、図４（ａ）に示すように、文字情報を感熱させるための感熱エリア５０（感熱紙発色層Ｃｂ）が設けられており、例えば当選商品名を感熱印字させるようになっている。なお、５１はプレ印刷部、５２はバーコードである。背景の模様であるプレ印刷部５１及びバーコード５２は、例えばオフセット印刷や凸版印刷等により印刷されている。このようなカードＣは、給紙装置３によりプリンタ本体２へ供給され、プリンタ本体２により印字される。プリンタ本体２には、カバー４、５が設けられている。カバー５は、カバー４に対して着脱自在に取り付けられている。そして、カバー５がカバー４に取り付けられた状態では、プリンタ本体２の前面にカード発行口６が形成される。
【００１９】
図３に示すように、プリンタ本体２の内部には、給紙装置３からカード発行口６に連なるカード搬送経路７が形成されており、カード搬送経路７上に設けられた回転自在な搬送ローラ対８により保持されたカードＣは給紙装置３からカード搬送経路７に引き込まれた後、カード搬送経路７上に設けられた回転自在な搬送ローラ対９に引き渡され、カード発行口６近傍の搬送ローラ対１４によってカード発行口６から排出されるように案内される。したがって、搬送ローラ対８、搬送ローラ対９、搬送ローラ対１４により、搬送手段が形成されている。
【００２０】
こうしてカードを案内するカード搬送経路７には、第１の印字機構である印字機構１０ａおよび第２の印字機構である印字機構１０ｂが設けられている。印字機構１０（１０ａ，１０ｂ）は、ステッピングモータＭ（Ｍａ，Ｍｂ）によって回転駆動される回転自在なプラテンローラ１１（１１ａ，１１ｂ）と、このプラテンローラ１１（１１ａ，１１ｂ）にカード搬送経路７を介して当接するライン状に配列された多数個の発熱素子を有するサーマルヘッド１２（１２ａ，１２ｂ）とを主体に形成されている。サーマルヘッド１２（１２ａ，１２ｂ）は、ヘッド保持板１３（１３ａ，１３ｂ）に保持されており、このヘッド保持板１３（１３ａ，１３ｂ）は、図示しないスプリングによってサーマルヘッド１２（１２ａ，１２ｂ）がプラテンローラ１１（１１ａ，１１ｂ）に押し付けられる方向に付勢されている。したがって、サーマルヘッド１２とプラテンローラ１１とに狭持されたカードＣは、プラテンローラ１１が回転駆動されるとことによりカード搬送経路７上を案内されることになるので、サーマルヘッド１２とプラテンローラ１１とは、搬送手段も構成している。
【００２１】
サーマルヘッド１２ａとプラテンローラ１１ａとの間には、感熱紙発色層Ｃｂが上側となったカードＣを搬送し、サーマルヘッド１２ａの発熱素子を選択的に発熱させることで、カードＣの感熱紙発色層Ｃｂを感熱させて文字情報を印字する。文字情報は、文字、絵、これらの組合せなどであり、例えばカードＣが「クジ」として使用される場合には、当選商品名などの文字である。
【００２２】
また、サーマルヘッド１２ｂとプラテンローラ１１ｂとの間には、隠蔽用の熱転写リボン１５が介在しており、サーマルヘッド１２ｂの発熱素子を選択的に発熱させることで隠蔽用の熱転写リボン１５のインクを溶融又は昇華させ、カードＣに印字する。未使用の隠蔽用の熱転写リボン１５は、フレーム１６に一端を支持された供給軸１７に保持されている。また、使用された隠蔽用の熱転写リボン１５はフレーム１６に一端を支持された巻取軸１８に巻き取られる。巻取軸１８は、ギヤ列によって伝達されるステッピングモータＭｂからの駆動力により回転駆動される。
【００２３】
図５は、スクラッチカードプリンタ１０３に内蔵される各部の電気的接続を示すブロック図である。プラテンローラ１１ａ等を回転駆動するためのステッピングモータＭａ、プラテンローラ１１ｂ等を回転駆動するためのステッピングモータＭｂおよびサーマルヘッド１２（１２ａ，１２ｂ）等の各部は、ＣＰＵ（Central Processing Unit）１９等によって構成されたマイクロコンピュータ２０によって駆動制御される。つまり、各種演算処理を実行して各部を集中的に制御するＣＰＵ１９が設けられ、このＣＰＵ１９には固定データを固定的に格納するＲＯＭ（Read Only Memory）２１と可変データを書換え自在に格納するＲＡＭ（Random Access Memory）２２、とがシステムバス２３を介して接続されている。ＲＯＭ２１には制御プログラムが格納され、マイクロコンピュータ２０は、ＲＯＭ２１に格納された制御プログラムに従い、ＲＡＭ２２をワークエリアとして利用しつつ各種の処理を実行する。
【００２４】
本実施の形態では、印字機構１０（１０ａ，１０ｂ）における印字動作のためにマイクロコンピュータ２０に駆動制御される各部として、プラテンローラ１１ａ等を回転駆動するためのステッピングモータＭａを駆動制御するためのモータドライバ２４と、プラテンローラ１１ｂ等を回転駆動するためのステッピングモータＭｂを駆動制御するためのモータドライバ２５と、サーマルヘッド１２（１２ａ，１２ｂ）を駆動制御するための駆動制御回路としてのヘッドドライバ２６とが設けられている。これらのモータドライバ２４，２５およびヘッドドライバ２６は、システムバス２３を介してＣＰＵ１９に接続されている。なお、この実施の形態のヘッドドライバ２６は、二つのサーマルヘッド１２ａ、１２ｂを別々に駆動制御が可能な回路となっている。
【００２５】
また、スクラッチカードプリンタ１０３は、ライン型の印字方式を採用することから、サーマルヘッド１２がライン状に備える多数個の発熱素子２７によって主走査方向の印字を行い、カードＣの搬送によって生ずるサーマルヘッド１２に対するカードＣの移動によって副走査方向の印字を行う。そこで、副走査方向の印字のために、カードＣの搬送タイミング等の制御が必要となることから、カードＣの位置を検出するためのセンサ２８がカード搬送経路７中に配置されている。また、スクラッチカードプリンタ１０３が配置された室内の温度を周囲温度として検出するために温度検知手段としてのセンサ２９がスクラッチカードプリンタ１０３の筐体内に配置されている。これらの各センサ２８，２９はＩ／Ｏポート３０を介してシステムバス２３に接続されている。
【００２６】
さらに、スクラッチカードプリンタ１０３では、詳細は後述するが本部サーバ１０４から送信された印字データをインタフェース（以下、Ｉ／Ｆとする。）３１を介して取り込み、このＩ／Ｆ３１を介して取り込んだ印字データを画像データに変換して画像メモリ３２に展開する。そこで、それらのＩ／Ｆ３１および画像メモリ３２も、システムバス２３を介してＣＰＵ１９に接続されている。
【００２７】
図６は、各サーマルヘッド１２（１２ａ，１２ｂ）に供給する印字エネルギーとカードＣの印字部分および隠蔽用の熱転写リボンによる隠蔽物の光学的な感度特性との関係を示すグラフである。この図６は、温度２５℃で、各サーマルヘッド１２（１２ａ，１２ｂ）に印字エネルギー（ｍｊ：ミリジュール）を与えて印字を行ったときの、カードＣの印字部分および隠蔽部分の光学的な感度をマクベス照度計でＯＤ（オプティカル・デンシティー）値を計測することにより測定したものである。サーマルヘッド１２ａに供給する印字エネルギーとカードＣの印字部分に対する感度との関係をグラフａで示し、サーマルヘッド１２ｂに供給する印字エネルギーとカードＣの隠蔽部分に対する感度との関係をグラフｂで示している。
【００２８】
この実施の形態のスクラッチカードプリンタ１０３では、温度２５℃のときには、文字情報をカードＣに印字するサーマルヘッド１２ａの印字エネルギーを０．１８ｍｊ、カードＣに印字された文字情報を隠蔽するために印字するサーマルヘッド１２ｂの印字エネルギーが０．１３ｍｊとなるようにマイクロコンピュータ２０に設定されている（設定手段）。図６のグラフａで示すようにサーマルヘッド１２ａが０．１８ｍｊの印字エネルギーで印字を行い、また、同図のグラフｂで示すようにサーマルヘッド１２ｂが０．１３ｍｊの印字エネルギーで印字を行うと、カードの印字部分および隠蔽部分の感度が１．４０となり、良好な印字を行うことができる。
【００２９】
また、上述のようにサーマルヘッド１２ｂの印字エネルギーをサーマルヘッド１２ａの印字エネルギーより小さく設定することにより、サーマルヘッド１２ａで文字情報の印字を行った後、サーマルヘッド１２ｂで文字情報を隠蔽するために印字する場合に、カードが再度発色して印字品質が低下してしまうことを防止することができる。
【００３０】
図７は、室温を示す周囲温度とサーマルヘッド１２（１２ａ，１２ｂ）の印字エネルギーとの間係を示すグラフである。周囲温度とサーマルヘッド１２ａに供給する印字エネルギーとの関係をグラフｃで示し、周囲温度とサーマルヘッド１２ｂに供給する印字エネルギーとの関係をグラフｄで示している。このグラフｃおよびグラフｄに示すように、周囲温度が１０℃から４０℃へ上昇していくにしたがって、少ない印字エネルギーでサーマルヘッド１２（１２ａ，１２ｂ）の印字が行える。
【００３１】
この実施の形態のスクラッチカードプリンタ１０３では、この図７で示す周囲温度とサーマルヘッド１２（１２ａ，１２ｂ）の印字エネルギーとの関係を示すデータがＲＯＭ２１に設定されている。そして、温度を検出するセンサ２９で検出された温度およびＲＯＭ２１に格納されたデータに基づいて、ＣＰＵ１９はヘッドドライバ２６を制御してサーマルヘッド１２ａとサーマルヘッド１２ｂの印字エネルギーを別々に制御する（エネルギー制御手段）。また、図７で示すように、サーマルヘッド１２ａと周囲温度との関係を示すグラフｃの傾きは緩やかに設定し、サーマルヘッド１２ｂと周囲温度との関係を示すグラフｄの傾きはグラフｃの傾きより大きくなるようになっている。したがって、常にサーマルヘッド１２ａの印字エネルギーよりサーマルヘッド１２ｂの印字エネルギーの方が小さくなるようになっている。これにより、周囲温度が１０℃から４０℃に変化しても、変化した温度に常に最適な印字エネルギーでサーマルヘッド１２（１２ａ，１２ｂ）の印字を行うことができ、また、サーマルヘッド１２ａで文字情報の印字を行った後、サーマルヘッド１２ｂで文字情報を隠蔽するための印字を行う場合に、カードが再度発色して印字品質が低下してしまうことを防止することができる。
【００３２】
次に、このように構成されたスクラッチカードプリンタ１０３でカードＣを用いてスクラッチカードＳＣを作成する場合の動作について説明する。
【００３３】
先ず、オペレータは所定枚数のカードＣを給紙装置３にセットする。そして、スクラッチカードプリンタ１０３が、カードＣの感熱エリア５０に当選商品名の文字を感熱印字するための文字情報、感熱エリア５０に印字された文字情報を隠蔽する隠蔽部分を指定するための隠蔽位置情報および印字する印字する枚数に関する枚数情報等が含まれた印字データを本部サーバ１０４からＩ／Ｆ３１を介して受信すると、給紙装置３から１枚のカードＣがカード搬送経路７上に引き込まれ、印字機構１０ａのサーマルヘッド１２ａとプラテンローラ１１ａとの間に搬送される。このときに、サーマルヘッド１２ａの発熱素子が文字情報に基づいて選択的に発熱してカードＣの感熱紙発色層Ｃｂが発色して感熱印字が行われる。このサーマルヘッド１２ａが印字を行うときの印字エネルギーは、温度を検出するセンサ２９で検出される温度に基づいた印字エネルギーで印字される。この文字情報に基づいて感熱エリア５０（感熱紙発色層Ｃｂ）に文字（当選商品名）が印字されたときのカードＣの一例を図８で示している。図８（ａ）は文字情報が感熱印字されたカードＣの印字面を示し、図８（ｂ）は文字情報が感熱印字されたカードＣのｘ−ｘ断面を示している。
【００３４】
この文字情報が印字されたカードＣは、カード搬送経路７を搬送され、印字機構１０ｂのサーマルヘッド１２ｂとプラテンローラ１１ｂとの間に搬送される。このときに、サーマルヘッド１２ｂの発熱素子が隠蔽位置情報に基づいて選択的に発熱し、サーマルヘッド１２ｂとプラテンローラ１１ｂとの間に介在された隠蔽用の熱転写リボン１５を溶融し、カードＣへの隠蔽用の熱転写リボン１５からインクの転写が行われる。このサーマルヘッド１２ｂが印字を行うときの印字エネルギーは、温度を検出するセンサ２９で検出される温度に基づいた印字エネルギーで行われる。また、このサーマルヘッド１２ｂの印字エネルギーはサーマルヘッド１２ａの印字エネルギーより小さいエネルギーとなっている。この隠蔽位置情報に基づいて隠蔽用の熱転写リボン１５が転写されて剥離性隠蔽層５３が形成されて文字（当選商品名）が隠蔽されて作成されたスクラッチカードＳＣの一例を図９で示している。図９（ａ）は剥離性隠蔽層５３により文字情報が隠蔽されたスクラッチカードＳＣのスクラッチ面を示し、図９（ｂ）はスクラッチカードＳＣのｘ−ｘ断面を示している。
【００３５】
こうして、１枚のスクラッチカードＳＣが作成されると、給紙装置３にセットされた次のカードＣの印字を開始する。このようにして、本部サーバ１０４から送信された枚数情報に基づいてカードＣが給紙装置３から次々と引き込まれ印字が行われる。すなわち、オペレータが給紙装置３にセットした背景が印字されたカードＣに、本部サーバ１０４から送信された文字情報がスクラッチカードプリンタ１０３により印字される。したがって、スクラッチカードプリンタ１０３によれば、所望の位置に文字や絵等の文字情報を感熱印字し、その感熱印字部分を隠蔽用の熱転写リボン１５による剥離性隠蔽層５３で覆ったスクラッチカードＳＣを所望の枚数だけ容易に作成できる。
【００３６】
[１−２．本部サーバ１０４についての説明]
次に、本部サーバ１０４について説明する。ここで、図１０は本部サーバ１０４の各部の電気的接続を示すブロック図である。図１０に示すように、本部サーバ１０４には、各部を集中的に制御するＣＰＵ（Central Processing Unit）、制御プログラムを格納するＲＯＭ（Read Only Memory）、ＣＰＵのワークエリアとして機能するＲＡＭ（Random Access Memory）等で構成されるコンピュータ構成の制御手段６１が設けられており、この制御手段６１は各種演算やデータ転送などを制御する。制御手段６１には、通信制御手段６２が接続されており、インターネット１０２を介したデータの入出力制御を行う。
【００３７】
加えて、制御手段６１には、Ｗｅｂアプリケーションを格納するＨＤＤ（HardDisk Drive）等の記憶部（記憶媒体）６３と、ＨＴＭＬ（HyperText Markup Language）ファイルとＣＧＩ（Common Gateway Interface）を介して呼び出される外部プログラム（以下、ＣＧＩプログラムという）を格納するＨＤＤ等の記憶部（記憶媒体）６４とが接続されている。これらの記憶装置６３，６４は、本部サーバ１０４の内部に設けられるものであっても良いし、本部サーバ１０４の外部に設けられるものであっても良い。
【００３８】
なお、Ｗｅｂアプリケーションは、クライアント端末１０１からインターネット１０２を通じてＷｅｂサイトの閲覧要求があった時、ＨＴＭＬファイルの転送やＣＧＩプログラムの実行により、クライアント端末１０１に閲覧情報を送り出すプログラムである。例えばクライアント端末１０１からの閲覧要求が既に用意されているＨＴＭＬファイルの閲覧要求であった場合、Ｗｅｂアプリケーションは、ＨＴＭＬファイルをクライアント端末１０１に送信する。また、クライアント端末１０１からの閲覧要求内に、データの転送などがあった場合には、ＣＧＩプログラムが実行され、データの保存や各種演算が行われる。
【００３９】
また、図１０に示すように、制御手段６１には、管理テーブルＴ（図１１参照）を保存する記憶装置（以下、管理テーブルファイルという）６５が接続されている。この管理テーブルファイル６５は、本部サーバ１０４の内部に設けられるものであっても良いし、本部サーバ１０４の外部に設けられるものであっても良い。また、これらの各ファイル６３，６４，６５は、一の記憶装置に全て含まれるものであっても何ら問題はない。管理テーブルＴは、図１１に示すように、クジの発券タイミングに関する発券情報をクジ種毎に予め登録しておくものであって、発券情報としては、発券場所、発券間隔、発券時刻、発券順序等の情報を予め登録しておくものである。
【００４０】
[１−３．クライアント端末１０１についての説明]
次に、各クジ発券場所（抽選場所）に設置されるクライアント端末１０１について説明する。ここで、図１２はクライアント端末１０１の各部の電気的接続を示すブロック図である。図１２に示すように、クライアント端末１０１には、各部を集中的に制御するＣＰＵ、制御プログラムを格納するＲＯＭ、ＣＰＵのワークエリアとして機能するＲＡＭ等で構成される制御手段７１が設けられており、この制御手段７１は各種演算やデータ転送などを制御する。この制御手段７１には、インターネット１０２を介したデータの入出力制御を行う通信制御手段７２や、Ｗｅｂブラウザや本部サーバ１０４に搭載されているＷｅｂアプリケーションとＷｅｂブラウザ間、スクラッチカードプリンタ１０３とＷｅｂブラウザ間のインタフェースを司るＷｅｂ発行ツール（例えば、ActiveX（Microsoft社の商標）コントロール）などのインターネット１０２に対する操作のための特殊な機能を実現するプログラム等の各種プログラムを保存するＨＤＤ等の記憶装置７３が接続されている。
【００４１】
また、クライアント端末１０１には、制御手段７１によって制御されるＣＲＴ（Cathode Ray Tube）やＬＣＤ（Liquid Crystal Display）等の表示部７４、入力部として機能するキーボード７５やマウス７６、各種外部機器とのデータ接続を実行するインタフェース（Ｉ／Ｆ）７７、バーコードスキャナ７８等がそれぞれ設けられている。クライアント端末１０１のバーコードスキャナ７８は、引き換え所（抽選場所）で当選商品の引き換えを行う際に、スクラッチカードＳＣに印刷されている識別コードであるバーコード５２をスキャンするためのものである。
【００４２】
[２．クジ発券システム１００を構成する各部における処理]
続いて、クジ発券システム１００を構成する各部における処理について説明する。ここでは、本部サーバ１０４からスクラッチカードプリンタ１０３に対するスクラッチカードＳＣの発券処理について図１３のフローチャートを参照しつつ説明する。
【００４３】
図１３に示す発券処理においては、スクラッチカードＳＣの発券について時間的な制御に基づいて実行する。時間を制御した発券方法としては、下記のような方法が考えられる。具体的には、
（発券方法１）特定時間間隔で発券する方法
（発券方法２）抽選会開始から特定時間を経過した後に発券する方法
（発券方法３）抽選会終了の指定時間前に発券する方法
（発券方法４）特定時刻に発券する方法
（発券方法５）特定時刻に総売上の多い抽選場所から発券する方法
（発券方法６）特定時刻に客数の多い抽選場所から発券する方法
（発券方法７）あるクジの当選後、一定時間経過した後に発券する方法
である。
【００４４】
そこで、図１３に示すステップＳ１における初期化処理では、このような時間的な拘束を予め設定する処理を司ることになる。ここで、図１４は初期化処理の流れを示すフローチャートである。図１４に示す初期化処理においては、初期処理を実行した後（ステップＳ１−１）、管理テーブルＴのテーブルエンドまで処理が達しておらず（ステップＳ１−２のＮ）、抽選場所が一致していること（ステップＳ１−３のＹ）を条件として、以下の処理を実行する。
【００４５】
発券方法１（特定時間間隔で発券する方法）が選択されている場合には（ステップＳ１−４のＹ）、次の発券時刻を設定する、つまり抽選会開始時刻に発券間隔を加算する（ステップＳ１−５）。例えば、管理テーブルＴでは抽選会開始時刻が９：００に設定されているので、発券間隔が６０分に指定されている対象商品については発券時刻は１０：００に設定されることになる。
【００４６】
発券方法２（抽選会開始から特定時間を経過した後に発券する方法）が選択されている場合には（ステップＳ１−６のＹ）、次の発券時刻を設定する、つまり抽選会開始時刻に発券間隔を加算する（ステップＳ１−７）。例えば、管理テーブルＴでは抽選会開始時刻が９：００に設定されていて、発券場所１の発券間隔が６０分に指定されているので、発券場所１で発券方法２が指定された対象商品についての発券時刻は１０：００に設定されることになる。また、発券場所２の発券間隔は１２０分に指定されているので、発券場所２で発券方法２が指定された対象商品についての発券時刻は１１：００に設定されることになる。
【００４７】
発券方法３（抽選会終了の指定時間前に発券する方法）が選択されている場合には（ステップＳ１−８のＹ）、次の発券時刻を設定する、つまり抽選会終了時刻から発券間隔を減算する（ステップＳ１−９）。例えば、管理テーブルＴでは抽選会終了時刻が２０：００に設定されていて、発券場所１の発券間隔が９０分に指定されているので、発券場所１で発券方法３が指定された対象商品についての発券時刻は１８：３０に設定されることになる。また、発券場所２の発券間隔は１２０分に指定されているので、発券場所２で発券方法３が指定された対象商品についての発券時刻は１８：００に設定されることになる。
【００４８】
以上の処理は、管理テーブルＴのテーブルエンドまで処理が達するまで（ステップＳ１−２のＹ）、繰り返される。
【００４９】
以上の処理を実行することにより、発券する時刻を設定する事ができる。初期化処理後の管理テーブルＴの一例を図１５に示す。
【００５０】
初期化処理（ステップＳ１）が終了すると、図１３に示すように、ステップＳ２の対象外処理を実行する。この対象外処理は、時間的な拘束をもつことなく、発券場所のみ認識して発券する場合の処理である。
【００５１】
ここで、図１６は対象外処理の流れを示すフローチャートである。図１６に示すように、初期処理を実行した後（ステップＳ２−１）、管理テーブルＴのテーブルエンドまで処理が達しておらず（ステップＳ２−２のＮ）、抽選場所が一致し、かつ、対象外処理が選択されている場合には（ステップＳ２−３のＹ）、指定枚数分の印字データを生成し、スクラッチカードプリンタ１０３に対して送信する（ステップＳ２−４）。例えば、管理テーブルＴでは、項番１，２の商品（ティッシュペーパー）が発券場所１及び２でそれぞれ対象外として指定されているので、スクラッチカードプリンタ１０３において指定枚数分のスクラッチカードＳＣの発券を行う。この対象外処理は、いわゆる空クジに相当するクジの発券処理に該当するものである。
【００５２】
対象外処理（ステップＳ２）が終了すると、図１３に示すように、時間情報を獲得し（ステップＳ３）、総売上金額・客数を更新する（ステップＳ４）。総売上金額・客数の更新については、ＰＯＳシステムなどを用いることにより抽選場所が設置される販売店の総売上金額や客数を時間帯で管理することができるため、ＰＯＳシステム点検業務から得るようにすれば良い。
【００５３】
続いて、図１３に示すように、ステップＳ５の時間指定処理を実行する。この時間指定処理は、管理テーブルＴの内容を参照して現在時刻と指定時刻が一致し、かつ発券場所が一致した場合には、指定枚数分の印字データを生成し、スクラッチカードプリンタ１０３に対して送信するものである。
【００５４】
ここで、図１７は時間指定処理の流れを示すフローチャートである。図１７に示すように、初期処理を実行した後（ステップＳ５−１）、管理テーブルＴのテーブルエンドまで処理が達しておらず（ステップＳ５−２のＮ）、抽選場所が一致し、かつ、時刻が一致していること（ステップＳ５−３のＹ）を条件として、以下の処理を実行する。
【００５５】
発券方法１（特定時間間隔で発券する方法）が選択されている場合には（ステップＳ５−４のＹ）、指定枚数分の印字データを生成し、スクラッチカードプリンタ１０３に対して送信した後（ステップＳ５−５）、次の発券時刻を再設定する、つまり当該発券時刻に発券間隔を加算して次回発券する時刻を設定する（ステップＳ５−６）。
【００５６】
一方、発券方法２，３，４の方法が選択されている場合には（ステップＳ５−７のＹ）、指定枚数分の印字データを生成し、スクラッチカードプリンタ１０３に対して送信する（ステップＳ５−８）。
【００５７】
以上の処理は、管理テーブルＴのテーブルエンドまで処理が達するまで（ステップＳ５−２のＹ）、繰り返される。時間指定処理後の管理テーブルＴの一例を図１８に示す。
【００５８】
続いて、図１３に示すように、ステップＳ６の総売上処理を実行する。この総売上処理は、管理テーブルＴの内容を参照して現在時刻と指定時刻が一致した場合、総売上の多い発券場所に設置されたスクラッチカードプリンタ１０３において指定枚数分のスクラッチカードＳＣの発券を行うものである。すなわち、特定時刻に総売上の多い抽選場所に設置されたスクラッチカードプリンタ１０３から発券するものである。
【００５９】
ここで、図１９は総売上処理の流れを示すフローチャートである。図１９に示すように、初期処理を実行した後（ステップＳ６−１）、管理テーブルＴのテーブルエンドまで処理が達しておらず（ステップＳ６−２のＮ）、発券方法５が選択されていて、かつ、時刻が一致していること（ステップＳ６−３のＹ）を条件として、以下の処理を実行する。
【００６０】
ＰＯＳシステム点検業務から得られた発券場所の総売上情報が最大値（ＭＡＸ）である場合には（ステップＳ６−４のＹ）、指定されたクジの印字データを生成し、スクラッチカードプリンタ１０３に対して送信する（ステップＳ６−５）。
【００６１】
以上の処理は、管理テーブルＴのテーブルエンドまで処理が達するまで（ステップＳ６−２のＹ）、繰り返される。
【００６２】
続いて、図１３に示すように、ステップＳ７の総客数処理を実行する。この総客数処理は、管理テーブルＴの内容を参照して現在時刻と指定時刻が一致した場合、総客数の多い発券場所から指定枚数の発券を行うものである。すなわち、特定時刻に客数の多い抽選場所から発券するものである。
【００６３】
ここで、図２０は総客数処理の流れを示すフローチャートである。図２０に示すように、初期処理を実行した後（ステップＳ７−１）、管理テーブルＴのテーブルエンドまで処理が達しておらず（ステップＳ７−２のＮ）、発券方法６が選択されていて、かつ、時刻が一致していること（ステップＳ７−３のＹ）を条件として、以下の処理を実行する。
【００６４】
ＰＯＳシステム点検業務から得られた発券場所の総客数情報が最大値（ＭＡＸ）である場合には（ステップＳ７−４のＹ）、指定されたクジの印字データを生成し、スクラッチカードプリンタ１０３に対して送信する（ステップＳ７−５）。
【００６５】
以上の処理は、管理テーブルＴのテーブルエンドまで処理が達するまで（ステップＳ７−２のＹ）、繰り返される。
【００６６】
続いて、図１３に示すように、ステップＳ８の発券順序処理を実行する。この発券順序処理は、あるクジの当選後、一定時間経過した後に発券するものである。
【００６７】
ここで、図２１は発券順序処理の流れを示すフローチャートである。図２１に示すように、初期処理を実行した後（ステップＳ８−１）、管理テーブルＴのテーブルエンドまで処理が達しておらず（ステップＳ８−２のＮ）、スクラッチカードＳＣに印刷されている識別用のバーコード５２をスキャンした結果と、管理テーブルＴに登録されている発券コードとが一致していること（ステップＳ８−３のＹ）を条件として、以下の処理を実行する。
【００６８】
管理テーブルＴのテーブルエンドまで処理が達しておらず（ステップＳ８−４のＮ）、管理テーブルＴのエントリを検索して発券方法７が選択されていて、かつ、発券コードが設定されている項番（前順序の項番）と一致する項目があった場合（ステップＳ８−５のＹ）、次の発券時刻を再設定する、つまり現在の時刻に発券間隔を加算して次回発券する時刻を設定し（ステップＳ８−６）、処理区分を発券方法７から発券方法４に変更する（ステップＳ８−７）。このように発券方法を７から４に変更することにより、時間指定と同様な処理で発券することができるようになる。
【００６９】
以上の処理は、管理テーブルＴのテーブルエンドまで処理が達するまで（ステップＳ８−２のＹ）、繰り返される。
【００７０】
以上の処理を実行することにより、あるクジの当選後、一定時間経過した後に発券する事ができる。発券順序処理後の管理テーブルＴの一例を図２２に示す。図２２に示す例では、発券コードが設定されている項番「１１」の発券が１５：３０行われて１９：０５に当選クジが引き換えられた場合を示しており、項番「１３」については発券方法が７から４に変更され、発券時刻は１９：３５に設定されることになる。
【００７１】
以上のような図１３におけるステップＳ３〜Ｓ８の処理は、すべてのクジ（スクラッチカードＳＣ）がスクラッチカードプリンタ１０３から発券されるまで（ステップＳ９のＹ）、繰り返される。
【００７２】
このように本実施の形態によれば、クジ（スクラッチカードＳＣ）をスクラッチカードプリンタ１０３から発券する場合に、発券時刻・発券順序・発券場所などの発券タイミングに関する発券情報に基づいて関係付けを行うことができるので、抽選会の開催に対して注目度合いを低下させること無く抽選会を開催することができるという効果がある。同時に、参加者の注目を引くために、売上金額・総客数の多い抽選場所に当選クジを割り振ることにより、参加者の抽選会参加の動機付けを行うことができる。
【００７３】
なお、本実施の形態においては、スクラッチカードプリンタ１０３をクライアント端末１０１に接続するようにしたが、これに限るものではない。例えば、スクラッチカードプリンタ１０３がネットワーク対応であれば、インターネット１０２を介して本部サーバ１０４にネットワーク接続されるものであっても良い。
【００７４】
また、本実施の形態においては、「クジ引き」用のクジとしてスクラッチカードＳＣを適用したが、これに限るものではなく、予め当選品名などを用紙に印字した後、印字した用紙を折り曲げたようなクジであっても良い。
【図面の簡単な説明】
【００７５】
【図１】本発明の実施の一形態のクジ発券システムの全体構成を概略的に示すシステム構成図である。
【図２】スクラッチカードプリンタを示す外観斜視図である。
【図３】スクラッチカードプリンタの構成を概略的に示す縦断側面図である。
【図４】（ａ）はカードの印字面を示す平面図、（ｂ）はカードのｘ−ｘ断面を示す断面図である。
【図５】スクラッチカードプリンタに内蔵される各部の電気的接続を示すブロック図である。
【図６】各サーマルヘッドに供給する印字エネルギーとカードの印字部分および隠蔽用の熱転写リボンによる隠蔽物の光学的な感度特性との関係を示すグラフである。
【図７】室温を示す周囲温度とサーマルヘッドの印字エネルギーとの間係を示すグラフである。
【図８】（ａ）は文字情報が感熱印字されたカードの印字面を示す平面図、（ｂ）は文字情報が感熱印字されたカードのｘ−ｘ断面を示す断面図である。
【図９】（ａ）は剥離性隠蔽層により文字情報が隠蔽されたスクラッチカードのスクラッチ面を示す平面図、（ｂ）はスクラッチカードのｘ−ｘ断面を示す断面図である。
【図１０】本部サーバの各部の電気的接続を示すブロック図である。
【図１１】管理テーブルの一例を示す模式図である。
【図１２】クライアント端末の各部の電気的接続を示すブロック図である。
【図１３】スクラッチカードの発券処理の流れを示すフローチャートである。
【図１４】初期化処理の流れを示すフローチャートである。
【図１５】初期化処理後の管理テーブルの一例を示す模式図である。
【図１６】対象外処理の流れを示すフローチャートである。
【図１７】時間指定処理の流れを示すフローチャートである。
【図１８】時間指定処理後の管理テーブルの一例を示す模式図である。
【図１９】総売上処理の流れを示すフローチャートである。
【図２０】総客数処理の流れを示すフローチャートである。
【図２１】発券順序処理の流れを示すフローチャートである。
【図２２】発券順序処理後の管理テーブルの一例を示す模式図である。
【符号の説明】
【００７６】
１０２…通信ネットワーク、１０３…クジ発券機、１０４…サーバコンピュータ，クジ発券制御装置、ＳＣ…クジ，スクラッチカード、Ｔ…テーブル、
【図１】
2005122511.tif 000003
【図２】
2005122511.tif 000004
【図３】
2005122511.tif 000005
【図４】
2005122511.tif 000006
【図５】
2005122511.tif 000007
【図６】
2005122511.tif 000008
【図７】
2005122511.tif 000009
【図８】
2005122511.tif 000010
【図９】
2005122511.tif 000011
【図１０】
2005122511.tif 000012
【図１１】
2005122511.tif 000013
【図１２】
2005122511.tif 000014
【図１３】
2005122511.tif 000015
【図１４】
2005122511.tif 000016
【図１５】
2005122511.tif 000017
【図１６】
2005122511.tif 000018
【図１７】
2005122511.tif 000019
【図１８】
2005122511.tif 000020
【図１９】
2005122511.tif 000021
【図２０】
2005122511.tif 000022
【図２１】
2005122511.tif 000023
【図２２】
2005122511.tif 000024